(57)【特許請求の範囲】
【請求項１】
２つの空間を仕切るための間仕切り体であって、内部に収納スペースが設けられている間仕切り体において、
前記収納スペースが設けられている箇所と、前記収納スペースが設けられていない箇所とを有し、前記収納スペースが設けられている前記箇所の間仕切り体厚さ方向寸法が、前記収納スペースが設けられていない前記箇所の間仕切り体厚さ方向寸法よりも大きくなっており、
前記収納スペースについての間仕切り体厚さ方向の一方の面は、表面部材で塞がれた面となっているとともに、他方の面は、開閉部材により開閉可能の面となっており、
前記開閉部材は、上下方向を軸方向とするピンを中心に回動可能となっている扉であり、
前記収納スペースの上下には、前記ピンが挿入されるピン挿入部を有する２個の部材が配置されており、これらの部材のうち、少なくとも一方の部材は、間仕切り体左右方向に移動可能に配置されていることを特徴とする間仕切り体。
【請求項２】
請求項１に記載の間仕切り体において、前記扉は、観音開き式の左右２個の扉であることを特徴とする間仕切り体。
【請求項３】
請求項１又は２に記載の間仕切り体において、前記収納スペースが設けられている前記箇所は、前記収納スペースを形成している収納スペース形成部材を含めて、間仕切り体左右方向寸法と同じ又は略同じ大きさを有していることを特徴とする間仕切り体。
【請求項４】
請求項１〜３のいずれかに間仕切り体において、前記収納スペースが設けられている前記箇所は、前記収納スペースを形成している収納スペース形成部材を含めて、間仕切り体高さ方向の途中から間仕切り体下端又は間仕切り体略下端まで達する上下長さを有していることを特徴とする間仕切り体。
【請求項５】
２つの空間を仕切り、かつ内部に収納スペースが設けられていない間仕切り体を、内部に前記収納スペースが設けられた間仕切り体に改修するための間仕切り体の改修方法であって、
改修前の間仕切り体から、前記収納スペースを設ける箇所に配置されている部材を取り除くための第１作業工程と、
前記第１作業工程で取り除かれた前記部材が配置されていた箇所を前記収納スペースとするための第２作業工程と、
を含み、
前記第２作業工程では、前記収納スペースを形成するために上下２個の収納スペース形成部材を上下の間隔をあけて配置する作業と、この収納スペースについての間仕切り体厚さ方向の一方の面を表面部材で塞ぐ作業と、他方の面を、開閉部材により開閉可能の面とする作業とを実施し、
前記開閉部材は、上下方向を軸方向とするピンを中心に回動可能となっている扉であり、
前記第２作業工程において、前記ピンを前記上下２個の収納スペース形成部材に設けられているピン挿入部に挿入するための作業を実施し、
前記ピンを前記上下２個の収納スペース形成部材に設けられている前記ピン挿入部に挿入するための前記作業は、前記上下２個の収納スペース形成部材のうち、少なくとも一方の収納スペース形成部材を間仕切り体左右方向に移動させることにより、前記ピンを前記ピン挿入部に挿入可能の状態にした後に実施することを特徴とする間仕切り体の改修方法。
【請求項６】
請求項５に記載の間仕切り体の改修方法において、前記少なくとも一方の収納スペース形成部材を間仕切り体左右方向に移動させることは、前記少なくとも一方の収納スペース形成部材を、改修前の前記間仕切り体から残されている部材に対して間仕切り体左右方向に移動させることであることを特徴とする間仕切り体の改修方法。
【請求項７】
請求項５又は６に記載の間仕切り体の改修方法において、工場で生産されて施工現場の床に固設されたパネル型の間仕切りユニットとなっている改修前の前記間仕切り体が前記床に固設されているときに、前記第１作業工程と前記第２作業工程とを実施することを特徴とする間仕切り体の改修方法。
【発明の詳細な説明】
【技術分野】
【０００１】
本発明は、２つの空間を仕切るための間仕切り体であって、内部に収納スペースが設けられている間仕切り体、及び間仕切りの内部に収納スペースを設けるための間仕切り体の改修方法に係り、例えば、工場で製造されて施工現場の床に固設されるパネル型の間仕切りユニットに利用できるものである。
【背景技術】
【０００２】
下記の特許文献１には、２つの空間を仕切るための間仕切り体となっていて、床に固設された間仕切り壁が示され、この間仕切り壁の内部には収納スペースが設けられており、これにより、この間仕切り壁は、被収納物を収納するためにも用いられるようになっている。
【先行技術文献】
【特許文献】
【０００３】
【特許文献１】特開平５−２８０１２５号公報
【発明の概要】
【発明が解決しようとする課題】
【０００４】
上述の間仕切り壁は、同じ厚さ寸法が上下方向連続しているとともに、左右方向にも連続している一定厚さのものとなっている。このため、内部に設けれる収納スペースについての間仕切り壁厚さ方向寸法は、この間仕切り壁の厚さ寸法によって決まり、この間仕切り壁の厚さ寸法を超えるものとすることができない。
【０００５】
本発明の目的は、内部に設けられる収納スペースについての間仕切り体厚さ方向寸法を拡大できるようになる間仕切り体を提供するところにある。
【課題を解決するための手段】
【０００６】
本発明に係る間仕切り体は、２つの空間を仕切るための間仕切り体であって、内部に収納スペースが設けられている間仕切り体において、前記収納スペースが設けられている箇所と、前記収納スペースが設けられていない箇所とを有し、前記収納スペースが設けられている前記箇所の間仕切り体厚さ方向寸法が、前記収納スペースが設けられていない前記箇所の間仕切り体厚さ方向寸法よりも大きくなっていることを特徴とするものである。
【０００７】
本発明に係る間仕切り体には、収納スペースが設けられている箇所と、収納スペースが設けられていない箇所とがあり、収納スペースが設けられている箇所の間仕切り体厚さ方向寸法が、収納スペースが設けられていない箇所の間仕切り体厚さ方向の寸法よりも大きくなっているため、内部に設けられる収納スペースについての間仕切り体厚さ方向寸法が拡大されており、これにより、収納スペースに多量の被収納物を収納できるようになる。
【０００８】
本発明に係る間仕切り体において、収納スペースが設けられている箇所についての間仕切り体左右方向寸法は、任意の寸法でよいが、収納スペースが設けられている箇所を、収納スペースを形成している収納スペース形成部材を含めて、間仕切り体左右方向寸法と同じ又は略同じ大きさを有しているものとすることが好ましい。
【０００９】
これによると、収納スペースについての間仕切り体左右方向の大きさは、収納スペースを形成している収納スペース形成部材を含めると、間仕切り体左右方向寸法と同じ又は略同じになるため、収納スペースについての間仕切り体左右方向の大きさを拡大できる。
【００１０】
また、本発明に係る間仕切り体において、収納スペースが設けられている箇所についての間仕切り体上下方向寸法も、任意の寸法でよいが、収納スペースが設けられている箇所を、収納スペースを形成している収納スペース形成部材を含めて、間仕切り体高さ方向の途中から間仕切り体下端又は間仕切り体略下端まで達する上下長さを有しているものとすることが好ましい。
【００１１】
これによると、収納スペースが設けられている箇所は、間仕切り体高さ方向の途中から間仕切り体下端又は間仕切り体略下端まで達しているため、収納スペースは、間仕切り体全体としてはこの間仕切り体の下部側に設けられることになり、このため、収納スペースへの被収納物の収納作業及び収納スペースからの被収納物の取り出し作業を容易に行えるようになる。
【００１２】
また、本発明に係る間仕切り体において、収納スペースについての間仕切り体厚さ方向の一方の面を、表面部材で塞がれた面とし、他方の面を、開閉部材により開閉される面とすることが好ましい。
【００１３】
これによると、収納スペースへの被収納物の収納作業及び収納スペースからの被収納物の取り出し作業を、開閉部材の開閉により容易に行えるようになる。
【００１４】
このように収納スペースについての間仕切り体厚さ方向の一方の面を、表面部材で塞がれた面とし、他方の面を、開閉部材により開閉される面とする場合には、開閉部材は、任意の形式のものでよく、すなわち、開閉部材は、スライド式の引き戸でもよく、あるいは、上下方向を軸方向とするピンを中心に回動可能となっている開き戸でもよい。
【００１５】
開閉部材を上下方向を軸方向とするピンを中心に回動可能となっている開き戸とする場合には、言い換えると、開閉部材を上下方向を軸方向とするピンを中心に回動可能となっている扉とする場合には、収納スペースの上下に、前記ピンが挿入されるピン挿入部を有する２個の部材を配置し、これらの部材のうち、少なくとも一方の部材を、間仕切り体左右方向に移動可能に配置することが好ましい。
【００１６】
これによると、２個の部材に設けられているピン挿入部の位置が左右方向にずれていても、これらの部材のうち、少なくとも一方の部材を間仕切り体左右方向に移動させることにより、ピン挿入部の位置を一致させることができるため、扉の回動中心軸となっているピンの上下部をこれらのピン挿入部に挿入させることができて、ピンを中心に扉を開閉可能とすることができる。
【００１７】
また、本発明に係る間仕切り体は、改修されていない間仕切り体でもよく、あるいは、改修されていて、この改修により、内部に前記収納スペースが設けられている間仕切り体でもよい。
【００１８】
すなわち、本発明は、改修されていない間仕切り体又は改修される予定のない間仕切り体に適用できるとともに、改修された間仕切り体にも適用することができる。
【００１９】
本発明が改修された間仕切り体に適用される場合には、改修後の間仕切り体が、収納スペースが設けられている箇所と、収納スペースが設けられていない箇所とを有するとともに、改修により、収納スペースが設けられている箇所の間仕切り体厚さ方向寸法は、収納スペースが設けられていない箇所の間仕切り体厚さ方向の寸法よりも大きい寸法とされる。
【００２０】
さらに、以上説明した本発明は、２つの空間を仕切るための間仕切り体であれば、任意の間仕切り体に適用することができる。
【００２１】
すなわち、本発明は、２つの空間を仕切るために床に結合して形成された間仕切り壁や、２つの空間を仕切るために、工場で製造されて施工現場の床に固設されたパネル型の間仕切りユニットにも適用でき、あるいは、２つの空間を仕切るために軸を中心に開閉自在となっている開き戸にも適用でき、あるいは、２つの空間を開閉可能に仕切るためにスライド自在となっている引き戸にも適用することができる。さらに、本発明は、２つの空間を仕切るために、床の上に移動可能に配置される可動式間仕切り壁にも適用できる。
【００２２】
また、本発明が、２つの空間を仕切るために、工場で製造されて施工現場の床に固設されたパネル型の間仕切りユニットに適用され、かつこの間仕切りユニットを改修して内部に収納スペースを設ける場合には、このパネル型の間仕切りユニットが施工現場の床に固設されているときに、収納スペースを内部に設けるための改修作業を行うようにしてもよい。
【００２３】
これによると、パネル型の間仕切りユニットを施工現場の床から取り外すことなく、この床に固設したままで、収納スペースを内部に設けるための改修作業を行うことになるため、この改修作業を短時間で容易に行えるようになる。
【発明の効果】
【００２４】
本発明によると、内部に設けられる収納スペースについての間仕切り体厚さ方向寸法を拡大できるという効果を得られる。
【図面の簡単な説明】
【００２５】
【図１】図１は、本発明の一実施形態に係る改修前の間仕切り体となっているパネル型の間仕切りユニットを含んで構成されている壁を示す正面図である。
【図２】図２は、図１のＳ２−Ｓ２線断面図である。
【図３】図３は、図１のＳ３−Ｓ３線断面図である。
【図４】図４は、本発明の一実施形態に係る改修後の間仕切り体となっているパネル型の間仕切りユニットを含んで構成されている壁を示す正面図である。
【図５】図５は、図４のＳ５−Ｓ５線断面図である。
【図６】図６は、図４のＳ６−Ｓ６線断面図である。
【図７】図７は、図６で示されている収納スペース形成部材である収納スペース用下枠を示す平面図である。
【図８】図８は、図４で示されている開閉部材である左右２個の扉だけを示す正面図である。
【図９】図９は、改修作業の最初の工程を示す側断面図である。
【図１０】図１０は、改修作業の次の工程を示す側断面図
【図１１】図１１は、改修作業のさらに次の工程を示す側断面図である。
【発明を実施するための形態】
【００２６】
以下に本発明を実施するための形態を図面に基づいて説明する。本実施形態に係る間仕切り体は、パネル型の間仕切りユニットであり、また、改修により、内部に収納スペースが設けられているものである。
【００２７】
図１には、改修前の間仕切り体となっているパネル型の間仕切りユニット１０を含んで構成されている壁１の正面図が示され、この壁１は、学校内の２つの空間である教室と廊下を仕切るものである。非耐力壁となっている壁１は、それぞれが工場で製造されて施工現場である学校内の教室で立設施工されたパネル型の間仕切りユニット１０，１１を、図１で示す正面視で左右方向に連設することにより形成されており、図１で２個示されているパネル型の間仕切りユニット１０が、本実施形態に係る改修前の間仕切り体である。
【００２８】
これらの間仕切りユニット１０は同じ構造で構成されているため、左側の間仕切りユニット１０について説明する。
【００２９】
このパネル型の間仕切りユニット１０は、上部に上下二段の引き違い式障子１０Ａ，１０Ｂを有し、これらの障子１０Ａ，１０Ｂは透明又は半透明ガラスの嵌め込みで形成されているため、この間仕切りユニット１０は、教室内へ採光と通気性を確保するためのものであり、下段の引き違い式障子１０Ｂの下側は、不透明の遮断部材となっているパネル部材１０Ｃにより構成された部分となっている。また、間仕切りユニット１０は、図１の正面視で、上枠部材２０と、下枠部材２１と、左右の縦枠部材２２，２３とにより四角形の外輪郭が形成されているとともに、上枠部材２０と下枠部材２１の間において、左右の縦枠部材２２，２３に上下２本の横枠部材２４，２５が架け渡されたものとなっており、これらの上枠部材２０と、下枠部材２１と、左右の縦枠部材２２，２３と、上下２本の横枠部材２４，２５とが、間仕切りユニット１０の構造材となっている。これらの構造材のうち、互いに接続部を有している構造材同士は、溶接やビス等の結合具で結合されている。
【００３０】
間仕切りユニット１０の一部を構成するための間仕切りユニット構成部材となっているパネル部材１０Ｃは、間仕切りユニット１０の非構造材である。
【００３１】
上枠部材２０と横枠部材２４との間に上段の引き違い式障子１０Ａが配置されているとともに、横枠部材２４と横枠部材２５との間に下段の障子１０Ｂが配置され、横枠部材２５と下枠部材２１との間に不透明のパネル部材１０Ｃが配置されている。
【００３２】
図２は、図１のＳ２−Ｓ２線断面図であり、縦枠部材２２は省略されている。また、図２において、上枠部材２０、下枠部材２１、左右の縦枠部材２２，２３についての間仕切りユニット厚さ方向の寸法がＷで示されており、この寸法Ｗは、間仕切りユニット１０全体としての厚さ寸法でもある。図２に示されているように、下枠部材２１の下面には板状のアンカー部材２６が結合され、このアンカー部材２６は、コンクリート製の床２の内部に埋設されている配筋材に溶接等で接合されている。また、図２には示されていないが、上枠部材２０の上面にも板状等のアンカー部材が結合され、このアンカー部材は、コンクリート製の天井３（図１を参照）の内部に内設されている配筋材に溶接等で接合されている。
【００３３】
なお、図１で示されているパネル型の間仕切りユニット１１には、左右方向にスライド操作される引き戸１１Ａが設けられており、このため、この間仕切りユニット１１は出入口用のためのものである。
【００３４】
図３は、図１のＳ３−Ｓ３線断面図であり、下枠部材２１は省略されている。この図３に示されているように、間仕切りユニット１０の左右の縦枠部材２２，２３のうち、左側の縦枠部材２２は、出入口用の間仕切りユニット１１の右側の縦枠部材２７にビス等の結合具４で結合され、右側の縦枠部材２３は、図１で示されている左右の２個の間仕切りユニット１０のうち、右側の間仕切りユニット１０の左側の縦枠部材２２にビス等の結合具５で結合されている。
【００３５】
図２及び図３に示されているように、間仕切りユニット１０の構成部材であるパネル部材１０Ｃは、間仕切りユニット１０の厚さ方向に配設された２枚の表面材３０，３１により左右の柱材３２，３３と中柱材３４とを挟着し、これらの間に、例えば、ハニカム構造のペーパーコア等の充填材３５を充填したものであり、２枚の表面材３０，３１のそれぞれは左右に一対設けられ、これらは中柱材３４の箇所で連結されている。
【００３６】
図２に示されているように、横枠部材２５の下面には、断面チャンネル状の保持部材３６が設けられ、この保持部材３６は、間仕切りユニット１０の厚さ方向両側に２個形成されている突起３６Ａ，３６Ｂを下向きにして横枠部材２５の下面に溶接等で結合されている。下枠部材２１の上面にも、断面チャンネル状の保持部材３７が設けられ、この保持部材３７は、間仕切りユニット１０の厚さ方向両側に２個形成されている突起３７Ａ，３７Ｂを上向きにして下枠部材２１の上面に溶接等で結合されている。パネル部材１０Ｃの上下両端部が、保持部材３６の２個の突起３６Ａ，３６Ｂの間と、保持部材３７の２個の突起３７Ａ，３７Ｂの間とに挿入されることにより、パネル部材１０Ｃは、保持部材３６，３７に保持されて横枠部材２５と下枠部材２１との間に配置されている。また、図３に示されているように、左右の縦枠部材２２，２３には、互いに対向する内側の側面部において、外側へ窪んだ凹部２２Ａ，２３Ａが形成されており、これらの凹部２２Ａ，２３Ａにパネル部材１０Ｃの左右両端部が嵌合されることにより、パネル部材１０Ｃは、左右の縦枠部材２２，２３でも保持されている。
【００３７】
図４には、間仕切りユニット１０を改修した後の間仕切り体であるパネル型の間仕切りユニット４０が示されている。この改修後の間仕切りユニット４０では、図４から分かるように、改修前の間仕切りユニット１０の構造材となっている上枠部材２０と、下枠部材２１と、左右の縦枠部材２２，２３と、上下２本の横枠部材２４，２５とが、そのまま残されている。本実施形態では、図１において左右２個示されている間仕切りユニット１０の両方が、間仕切りユニット４０に改修されている。図４で左右２個示されている改修後の間仕切りユニット４０のうち、図５及び図６は、左側の間仕切りユニット４０を示す断面図であり、図５は、図４のＳ５−Ｓ５線断面図、図６は、図５のＳ６−Ｓ６線断面図である。
【００３８】
図５及び図６に示されているように、改修後の間仕切りユニット４０の内部には、収納スペースＳが設けられている。この収納スペースＳの上下は、図５に示されているように、上下の間隔をあけて配設された上枠４１と下枠４２により形成されており、このため、これらの上枠４１と下枠４２は、収納スペースＳを形成するための収納スペース形成部材となっている。また、上枠４１は横枠部材２５に、長寸のビス等による結合具４３により結合されており、下枠４２も下枠部材２１に、長寸のビス等による結合具４４により結合されている。
【００３９】
このため、本実施形態では、横枠部材２５と下枠部材２１とが、収納スペース形成部材となっている上枠４１と下枠４２を取り付けるために利用されており、このため、これらの横枠部材２５と下枠部材２１とが、改修前の間仕切りユニット１０に存在していて、上枠４１と下枠４２を取り付けるために改修後の間仕切りユニット４０に残されている間仕切り体形成部材となっている。
【００４０】
また、図１に示されている改修前の間仕切りユニット１０の横枠部材２５と下枠部材２１に取り付けられる保持部材３６，３７も、図５から分かるように改修後の間仕切りユニット４０に残されているため、これらの保持部材３６，３７も間仕切り体形成部材となっている。
【００４１】
さらに、図６から分かるように、収納スペースＳの左右は２個の縦枠部材２２，２３により形成されているため、これらの縦枠部材２２，２３も収納スペース形成部材となっている。
【００４２】
なお、収納スペースＳが形成されている箇所は、以上の説明から明らかなように、改修前の間仕切りユニット１０のうち、充填材３５により間仕切りユニット厚さ方向の寸法が形成されていたパネル部材１０Ｃの配設箇所であり、このため、充填材３５の全体又は略全体の配設箇所が収納スペースＳとして有効利用されている。さらに、本実施形態では、収納スペースＳの間仕切りユニット厚さ方向の寸法は、後述の説明から分かるように、充填材３５の間仕切りユニット厚さ方向の寸法よりも大きくなっているため、収納スペースＳは拡大されている。
【００４３】
図５に示されているように、上枠４１は、上下に重ねられていて重ねられた部分で互いに溶接等で結合されたベース部材４５と主部材４６と補強部材４７とで形成され、これらの部材４５〜４７は板金の折り曲げ品である。主部材４６の前端は、前方へ、言い換えると、前述の教室側へ突出している突出部４６Ａとなっており、この突出部４６Ａは、間仕切りユニット厚さ方向の寸法がＷで示されている左右の縦枠部材２２，２３の前面の位置を越えて前方へ突出している。下枠４２は、上下に重ねられていて重ねられた部分で互いに溶接等で結合された補強部材４８と主部材４９と覆い部材５０とで形成され、これらの部材４８〜５０も板金の折り曲げ品である。主部材４９の前端も、前方へ突出している突出部４９Ａとなっており、この突出部４９Ａの突出量は、上枠４１の主部材４６の突出部４６Ａの突出量と同じ又は略同じである。
【００４４】
そして、上枠４１の主部材４６の突出部４６Ａは、上枠４１の前方へ突出する突出部４１Ａとなっており、下枠４２の主部材４９の突出部４９Ａは、下枠４２の前方へ突出する突出部４２Ａとなっている。また、上枠４１の突出部４１Ａは、横枠部材２５の前面を覆っており、さらに、下枠４２の突出部４２Ａの下面は、床２に接触又は接近する位置まで達しており、これにより、下枠４２に前方へ突出する突出部４２Ａが設けられていても、下枠４２と床２との間に隙間が生じない又は殆ど生じないようになっている。
【００４５】
なお、図５において、間仕切りユニット４０のうち、上下が上枠４１と下枠４２により形成された収納スペース２が設けられている箇所についての間仕切りユニット４０の厚さ方向の寸法は、Ｌで示されている。
【００４６】
図５に示されているように、上枠４１のベース部材４５の後端には、下向きの突条部４５Ａが屈曲形成され、下枠４２の覆い部材５０の後端には、上向きの突条部５０Ａが屈曲形成されている。また、上枠４１のベース部材４５の下面には、下面部材５１がビス等の結合具５２により取り付けられ、この下面部材５１における間仕切りユニット厚さ方向両端部である前後両端部には、下向きの突条部５１Ａ，５１Ｂが折り曲げで形成されている。上枠４１の主部材４６の後端には立上部４６Ｂが形成され、この立上部４６Ｂには、ビス等の結合具５３により断面逆Ｌ字状の押し縁部材５４が結合されている。また、下枠４２の覆い部材５０の上面には、上面部材５５がビス等の結合具５６により取り付けられ、この上面部材５５における間仕切りユニット厚さ方向両端部である前後両端部には、上向きの突条部５５Ａ，５５Ｂが折り曲げで形成されている。
【００４７】
図６に示されているように、間仕切りユニット４０の左右の縦枠部材２２，２３の前面には、板金の折り曲げ品である化粧部材５７，５８がビス等の結合具５９，６０により取り付けられている。これらの化粧部材５７，５８は、上枠４１から下枠４２までの上下長さを有するものであって、化粧部材５７，５８の上下部により、上枠４１と下枠４２の突出部４１Ａ，４２Ａのそれぞれの左右両端面が覆われており、化粧部材５７，５８の上部形状は、上枠４１の突出部４１Ａの形状と対応している。このため、化粧部材５７，５８の上下部により、上枠４１と下枠４２の突出部４１Ａ，４２Ａの左右両端面が隠されている。なお、図５では、化粧部材５７が省略されている。
【００４８】
図６から分かるように、化粧部材５７，５８は収納スペースＳの左右に配置されているため、これらの化粧部材５７，５８も、収納スペースＳを形成している収納スペース形成部材となっている。そして、この図６でも、間仕切りユニット４０のうち、収納スペース２が設けられている箇所についての間仕切りユニット４０の厚さ方向の寸法は、Ｌで示されている。
【００４９】
なお、上枠４１における左右の化粧部材５７，５８と対応する箇所の左右寸法を、これらの化粧部材５７，５８の左右幅寸法を含む寸法とするとともに、これらの化粧部材５７，５８の上下長さ寸法を上枠４１の下面までの長さ寸法とし、上枠４１における左右の化粧部材５７，５８と対応する箇所の左右両端面を板材等による塞ぎ部材で塞いでもよい。このようにした場合でも、間仕切りユニット４０のうち、収納スペース２が設けられている箇所についての間仕切りユニット４０の厚さ方向の寸法は、Ｌとなる。
【００５０】
図５及び図６に示されているように、収納スペースＳの背面、言い換えると、前述した廊下側の面は、表面部材６５により塞がれている。この表面部材６５は、図６に示されている左右の２個の表面材６６，６７からなり、これらの表面材６６，６７の左右方向外端部はＬ字状に屈曲形成されたＬ字状部６６Ａ，６７Ａとなっている。これらのＬ字状部６６Ａ，６７Ａは、改修前の間仕切りユニット１０のパネル部材１０Ｃの左右両端部が嵌合されていた左右の縦枠部材２２，２３の凹部２２Ａ，２３Ａにビス等の結合具６８，６９で結合されたＬ字状部材７０，７１により、凹部２２Ａ，２３Ａに固定され、この固定は、Ｌ字状部６６Ａ，６７Ａが凹部２２Ａ，２３ＡとＬ字状部材７０，７１とで挟着されることにより行われている。
【００５１】
また、左右の表面材６６，６７同士は、これらの表面材６６，６７の左右方向内端部に間仕切りユニット厚さ方向に互いに重ね合せられて形成されている重ね合せ部６６Ｂ，６７Ｂをビス等の結合具７２で結合することにより、連結されている。それぞれの表面材６６，６７の収納スペースＳ側の内面には、断面ハット形状の補強部材７４が取り付けられている。
【００５２】
収納スペースＳの正面、言い換えると、前述した教室側の面は、収納スペースＳを外部と連通させるための開口部７５となっており、通常時の開口部７５は、この開口部７５を開閉するための開閉部材となっている左右２個の扉７６，７７により塞がれている。図８には、これらの扉７６，７７の正面図が示されている。扉７６，７７における収納スペースＳ側である内面部には、これらの扉７６，７７の左右方向外端部において、上下２個のピン７８，７９が設けられ、上側のピン７８は、図５に示されているように、上枠４１の突出部４１Ａの下面に形成されたピン挿入部となっている孔８０に挿入され、下側のピン７９は、下枠４２の突出部４２Ａの上面に形成されたピン挿入部となっている孔８１（図７も参照）に挿入されている。
【００５３】
このため、扉７６，７７は、上下方向を軸方向とするピン７８，７９を中心として、前述の収納スペース形成部材となっている上枠４１と下枠４２に対して回動自在となっており、この回動により、開口部７５は扉７６，７７により開閉される。そして、左右２個の扉７６，７７は、正面視で観音開き式の扉となっている（図６の二点鎖線を参照）。それぞれの扉７６，７７における収納スペースＳ側の内面にも、図６に示されているように、断面ハット形状の補強部材７４が取り付けられている。
【００５４】
また、図８で示されている下側のピン７９は扉７６，７７に固定されているが、上側のピン７８は扉７６，７７に上下移動自在に配設されているとともに、ばね７８Ａにより常時上昇限位置まで弾性付勢されている。また、上側のピン７８には、このピン７８をばね７８Ａに抗して引き下げ操作するための操作部７８Ｂが設けられている。
【００５５】
扉７７には、板キーが挿入される鍵穴８２Ａを備えた施錠装置８２が上下２個設けられ、これらの施錠装置８２は、図５に示されているように、鍵穴８２Ａに挿入した板キーを回動操作すると水平軸を中心に上下方向に回動する回動部材８２Ｂを有する。これらの回動部材８２Ｂが、上枠４１に結合具５２で取り付けられた下面部材５１の突条部５１Ａと、下枠４２に結合具５６で取り付けられた上面部材５５の突条部５５Ａとに、間仕切りユニット厚さ方向後側において対向することにより、扉７７は施錠装置８２で施錠されることになる。図６に示されているように、左右２個の扉７６，７７の左右方向内端部には、これらの扉７６，７７が開口部７５を閉じているときに、互いに間仕切りユニット厚さ方向である収納スペースＳの内外方向に重なり合っている重ね合せ部７６Ａ，７７Ａが形成されており、施錠装置８２が設けられていない扉７６の重ね合せ部７６Ａの位置は、施錠装置８２が設けられている扉７７の重ね合せ部７６Ａの位置よりも収納スペースＳの内側の位置となっているため、扉７７が施錠装置８２で施錠されたとき、扉７６も施錠されたことになる。なお、図６では施錠装置８２が省略されている。
【００５６】
図７は、図５で示されている補強部材４８と主部材４９と覆い部材５０とで構成されている下枠４２だけを示す平面図であり、前述の上面部材５５は除外されている。この下枠４２には、図５で示す結合具５６を螺入するための雌ねじ孔８３と、図５で示す結合具４４を挿通させるための孔８４とが形成され、この孔８４は左右方向に長い長孔となっている。また、間仕切りユニット４０の左右の縦枠部材２２，２３の間に架け渡される横架部材となっているこの下枠４２には、この下枠４２の左右両端部において、弾性的に圧縮変形可能の発泡ウレタン等によるシール部材８５が取り付けられており、このシール部材８５は、下枠４２の前後二箇所に配設されている。
【００５７】
図６に示されているように、下枠４２の上に載せられている前述の上面部材５５には、結合具４４の頭部４４Ａを遊嵌できる孔８６が形成され、上枠４１の長孔８４の位置と一致しているこの孔８６も、左右方向に長い長孔となっている。
【００５８】
図５で示されているベース部材４５と主部材４６と補強部材４７とで構成されている上枠４１にも、図５で示す結合具５２を螺入するための雌ねじ孔と、図５で示す結合具４３を挿通させるための孔とが形成され、結合具４３を挿通させるためのこの孔は、下枠４２の孔８４と同様に、左右方向に長い長孔となっている。また、下枠４２と同様に、間仕切りユニット４０の左右の縦枠部材２２，２３の間に架け渡される横架部材となっているこの上枠４１にも、この上枠４１の左右両端部において、弾性的に圧縮変形可能の発泡ウレタン等によるシール部材が取り付けられており、このシール部材は、上枠４１の前後二箇所に配設されている。
【００５９】
なお、前述したように、上枠４１における左右の化粧部材５７，５８と対応する箇所の左右寸法を、これらの化粧部材５７，５８の左右幅寸法を含む寸法とする場合には、シール部材を、上枠４１の前後二箇所のうち、前記廊下側である後側だけに配設する。
【００６０】
上枠４１の下面に配設される前述の下面部材５１には、結合具４３の頭部を遊嵌できる孔が形成され、この孔も左右方向に長い長孔となっている。
【００６１】
次に、図１で示したパネル型の間仕切りユニット１０を、図４で示したパネル型の間仕切りユニット４０に改修するための作業について説明する。この改修作業は、間仕切りユニット１０を、この間仕切りユニット１０が施工されている前述の学校内の教室の床２に固設したまま、すなわち、間仕切りユニット１０を図１で示されている床２と天井３の間に立設固定したままの状態で行われる。
【００６２】
また、改修作業は、間仕切りユニット１０で仕切られている２つの空間となっている前述の教室と廊下とのうち、廊下よりも大きい空間となっている教室に入った作業者が、この教室側から全部の作業について行うようになっている。
【００６３】
間仕切りユニット１０を間仕切りユニット４０に改修する作業は、間仕切りユニット１０の一部を構成している構成部材となっていて、非構造材としてこの間仕切りユニット１０に配設されている図２及び図３のパネル部材１０Ｃを除去することから開始され、この除去作業は、パネル部材１０Ｃを切断するカッター等の工具を用いて行われ、この工具を持つ作業者は、廊下よりも大きい空間である教室側から除去作業を行う。この除去作業ではパネル部材１０Ｃだけを取り除くため、間仕切りユニット１０を構成していた部材のうち、上枠部材２０、下枠部材２１、左右の縦枠部材２２，２３、上下の横枠部材２４，２５、保持部材３６，３７、上下２段の障子１０Ａ，１０Ｂは、残される。
【００６４】
なお、除去されるパネル部材１０Ｃは、間仕切りユニット１０を構成していた部材のうち、強度がそれ程大きくない非構造材になっているものであるため、この除去作業を容易に行える。
【００６５】
間仕切りユニット１０からパネル部材１０Ｃを除去すると、この除去が行われた箇所は、間仕切りユニット１０の厚さ方向に貫通した空間部となる。そして、この空間部における間仕切りユニット１０の厚さ方向両側の面のうち、一方の面は、図６で示した改修後の間仕切りユニット４０において、２個の表面材６６，６７からなる表面部材６５で塞がれる背面となる面であり、他方の面は、開閉部材である２個の扉７６，７７で開閉自在に塞がれる正面となる面である。
【００６６】
以上のパネル部材１０Ｃの除去作業が終了した後に、図６で示されている化粧部材５７，５８を結合具５９，６０で縦枠部材２２，２３に取り付ける作業を教室側から行う。この作業を行うとき、化粧部材５８には結合具８７で隙間塞ぎ部材８８を取り付けておき、この隙間塞ぎ部材８８により、図４で２個示されている改修後の間仕切りユニット４０のうち、右側の間仕切りユニット４０の縦枠部材２２に取り付けられる化粧部材５７との間の隙間を塞ぐようにする。
【００６７】
なお、前述したように、上枠４１における左右の化粧部材５７，５８と対応する箇所の左右寸法を、これらの化粧部材５７，５８の左右幅寸法を含む寸法とし、これらの化粧部材５７，５８の上下長さ寸法を上枠４１の下面までの長さ寸法とする場合には、後述するように、上枠４１を結合具４３で横枠部材２５に取り付け、かつ下枠４２を結合具４４で下枠部材２１に取り付けた後に、化粧部材５７，５８を結合具５９，６０で縦枠部材２２，２３に取り付ける作業を行うようにしてもよい。
【００６８】
図９〜図１１は、パネル部材１０Ｃが取り除かれた箇所を収納スペースＳとするための作業手順を示しており、図９及び図１０では縦枠部材２２等が省略されている。図９には、予め工場でベース部材４５と主部材４６と補強部材４７を溶接等で結合一体化して製造された上枠４１と、予め工場で補強部材４８と主部材４９と覆い部材５０を溶接等で結合一体化して製造された下枠４２とが示されている。上枠４１を横枠部材２５に図５で示した結合具４３で取り付ける前であって、下枠４２を下枠部材２１に図５で示した結合具４４で取り付ける前に、作業者は、これらの結合具４３，４４を螺入するためのねじ孔を横枠部材２５及び保持部材３６と下枠部材２１及び保持部材３７とに形成する作業を教室側から行う。
【００６９】
この後に、作業者は、上枠４１を教室側から横枠部材２５と下枠部材２１との間に運び入れ、この上枠４１に左右方向に長い長孔となって形成されている前述の孔に結合具４３を挿通させて、この結合具４３を横枠部材２５及び保持部材３６に形成した上述のねじ孔に螺合し、これにより、前述の収納スペース形成部材となっている上枠４１を、図１０に示されているように、前述の間仕切り体形成部材となっている横枠部材２５に結合具４３により取り付ける。また、作業者は、下枠４２を教室側から横枠部材２５と下枠部材２１との間に運び入れ、この下枠４２に左右方向に長い長孔となって形成されている前述の孔８４に結合具４４を挿通させて、この結合具４４を下枠部材２１及び保持部材３７に形成した上述のねじ孔に螺合し、これにより、前述の収納スペース形成部材となっている下枠４２を、前述の間仕切り体形成部材となっている下枠部材２１に結合具４４により取り付ける。これらの作業が終了した後の状態が、図１０に示されている。
【００７０】
本実施形態では、図９に示されているように、上枠４１の構成部材となっている主部材４６の立上部４６Ｂには、予め工場等において結合具５３で前述の押し縁部材５４が結合されている。このため、図１０に示されているように、この押し縁部材５４を、横枠部材２５に結合されている保持部材３６の突起３６Ｂに当接させた後に、上枠４１を横枠部材２５に結合具４３で取り付ける作業を行うことにより、横枠部材２５と同様に、改修後の間仕切りユニット４０に残されている前述の間仕切り体形成部材となっている保持部材３６を、上枠４１についての間仕切りユニット厚さ方向の位置決め部材として活用して、この上枠４１を横枠部材２５に結合具４３で取り付ける作業を行うことができる。
【００７１】
なお、主部材４６の立上部４６Ｂに結合具５３で押し縁部材５４を取り付ける作業を、上枠４１を横枠部材２５に結合具４３でゆるく仮止め状態にした後に、教室側から行ってもよい。
【００７２】
また、本実施形態では、図９に示されているように、下枠４２の構成部材となっている補強部材４８には、後方へ延びる当接部４８Ａが形成され、下枠４２の構成部材となっている主部材４９には、当接部４８Ａと間仕切りユニット厚さ方向に間隔をあけて対向する当接部４９Ｂが形成されている。このため、図１０に示されているように、これらの当接部４８Ａ，４９Ｂを下枠部材２１に結合されている保持部材３７の突起３７Ａ，３７Ｂに当接させた後に、下枠４２を下枠部材２１に結合具４４で取り付ける作業を行うことにより、下枠部材２１と同様に、改修後の間仕切りユニット４０に残されている前述の間仕切り体形成部材となっている保持部材３７を、下枠４２についての間仕切りユニット厚さ方向の位置決め部材として活用して、この下枠４２を下枠部材２１に結合具４４で取り付ける作業を行うことができる。
【００７３】
本実施形態に係る上枠４１と下枠４２についての左右寸法は、図７で示したシール部材８５を除くと、改修後も間仕切りユニット４０に間仕切り体形成部材として残される部材となっている左右の縦枠部材２２，２３の間隔よりも少し小さく設定されている。すなわち、上下方向と左右方向のうち、一方の方向である上下方向に延びる部材となっている２個の縦枠部材２２，２３の間隔よりも、他方の方向である左右方向に延びる部材となっている上枠４１及び下枠４２の左右寸法は、少し小さく設定されている。
【００７４】
このように上枠４１と下枠４２の左右寸法を、シール部材８５を除くと、左右の縦枠部材２２，２３の間隔よりも少し小さく設定した理由は、改修前の間仕切りユニット１０を床２に固設する作業を行ったときの影響や、改修のためにこの間仕切りユニット１０からパネル部材１０Ｃを除去する作業を行ったときなどの影響により、左右の縦枠部材２２，２３の間隔が本来の所定間隔、言い換えると、設計上の間隔から変化している可能性があり、これによると、これらの縦枠部材２２，２３の間に上枠４１と下枠４２を、縦枠部材２２，２３の間に挿入される横架部材として配設するための作業が困難になるおそれがあるためである。
【００７５】
このため、本実施形態では、シール部材８５を除く上枠４１と下枠４２についての左右寸法が、左右の縦枠部材２２，２３の本来の間隔よりも小さく設定されており、これにより、改修時におけるこれらの縦枠部材２２，２３の間隔が本来の所定間隔よりも大きくなっている場合はもちろんのこと、本来の所定間隔よりも小さくなっている場合でも、上枠４１と下枠４２を、縦枠部材２２，２３の間に挿入される横架部材として配設するための作業を所定どおり行えるようになっている。
【００７６】
また、それぞれが弾性材料で形成されているシール部材８５は、図６に示されているように、圧縮変形して縦枠部材２２，２３と、これらの縦枠部材２２，２３に取り付けられた化粧部材５７，５８とに弾性接触するため、シール部材８５が、上枠４１、下枠４２と縦枠部材２２，２３及び化粧部材５７，５８との間の隙間を吸収するための部材となって、任意の大きさの隙間に対応できるようになり、そして、この隙間はシール部材８５により塞がれる。このため、教室と廊下を仕切るためのものとなっている改修後の間仕切りユニット４０を光が通過することをシール部材８５で阻止でき、この間仕切りユニット４０における収納スペースＳでの光遮断性を、改修前の間仕切りユニット１０と同様に確保することができる。
【００７７】
この後に、収納スペースＳの背面側を塞ぐ部材となっている図６の表面材６６，６７についての配設作業を教室側から行う。この作業を具体的に説明すると、図１１に示されているように、教室側に居る作業者が表面材６６，６７を左右方向に対して傾けることにより、これらの表面材６６，６７の左右方向外端部に形成されているＬ字状部６６Ａ，６７Ａを縦枠部材２２，２３の凹部２２Ａ、２３Ａに挿入し、表面材６６，６７の傾きをなくした後に、Ｌ字状部６６Ａ，６７Ａを、図６に示されているように、結合具６８，６９で縦枠部材２２，２３に結合されるＬ字状部材７０，７１と凹部２２Ａ，２３Ａとで挟着固定する。この後、表面材６６，６７の左右方向内端部に形成されている重ね合せ部６６Ｂ，６７Ｂを図６の結合具７２で結合する作業を教室側から行う。
【００７８】
次いで、作業者は、上枠４１のベース部材４５の下面に、この上枠４１に形成されている前述の雌ねじ孔に螺入する図５の結合具５２によって下面部材５１を取り付ける作業を教室側から行い、このとき、図５で示されている結合具４３の頭部は、下面部材５１に形成されている前述の左右方向に長い孔に遊嵌される。また、作業者は、下枠４２の覆い部材５０の上面に、この下枠４２に形成されている図７の雌ねじ孔８３に螺入する図５の結合具５６によって上面部材５５を取り付ける作業も教室側から行い、このとき、図５で示されている結合具４４の頭部４４Ａは、上面部材５５に形成されている図６の左右方向に長い孔８６に遊嵌される。
【００７９】
以上のように下面部材５１及び上面部材５５を上枠４１及び下枠４２に取り付ける作業を行うと、図５から分かるように、補強部材７４が取り付けされている表面材６６，６７は、上部では、上枠４１のベース部材４５の突条部４５Ａと下面部材５１の突条部５１Ｂとで挟着され、下部では、下枠４２の覆い部材５０の突条部５０Ａと上面部材５５の突条部５５Ｂとで挟着され、これにより、表面材６６，６７には、間仕切りユニット厚さ方向への湾曲変形に対する強度が付与される。
【００８０】
次いで、収納スペースＳの教室側の面に設けられている図６の開口部７５に扉７６，７７を配設する作業を教室側から行う。この作業を具体的に説明すると、作業者は、扉７６，７７の回動中心軸となっている図８の上下２個のピン７８，７９のうち、上側のピン７８を、このピン７８に設けられている操作部７８Ｂによりばね７８Ａに抗して引き下げ、この後に、下側のピン７９を下枠４２にピン挿入部として形成されている図５の孔８１に挿入し、次いで、上側のピン７８の位置を上枠４１にピン挿入部として形成されている図５の孔８０の位置と一致させ、操作部７８Ｂに作用させていた引き下げ力を解除することにより、ばね７８Ａで上昇するピン７８を孔８０に挿入させる。
【００８１】
これにより、左右２個の扉７６，７７は、観音開き式扉となって開口部７５にピン７８，７９を中心に開閉自在に配設されることになる。
【００８２】
そして、以上の作業により、改修後の間仕切りユニット４０の内部には、背面側の面が、２個の表面材６６，６７からなる表面部材６５で塞がれ、正面側の面が、開口部７５を開閉する開閉部材となっている２個の扉７６，７７で塞がれた収納スペースＳが形成されたことになり、これらの扉７６，７７を開くと、収納スペースＳは開口部７５を介して外部と連通するため、図５で示されている被収納物９０を収納スペースＳに出し入れできるようになる。
【００８３】
なお、上述のように扉７６，７７を開口部７５に配設する作業を行う際に、上枠４１の孔８０の位置と、下枠４２の孔８１の位置とが左右方向にずれている場合には、上下２個のピン７８，７９をこれらの孔８０，８１に挿入することは困難になる。
【００８４】
このような場合には、収納スペースＳの上下に、前記ピン挿入部となっている孔８０，８１が設けられた２個の部材である上枠４１と下枠４２が左右方向に移動自在に配置されているため、これらの上枠４１と下枠４２のうち、少なくとも一方の位置を左右方向に移動させて、孔８０の位置と孔８１の位置とを左右方向に一致させた後に、上下２個のピン７８，７９を孔８０，８１に挿入する。
【００８５】
すなわち、上枠４１を横枠部材２５に結合している図５の結合具４３は、前述したように、上枠４１に左右方向に長い長孔となって形成されている孔に挿通され、下枠４２を下枠部材２１に結合している図５の結合具４４は、図６及び図７で示されているように、下枠４２に左右方向に長く形成されている長孔８４に挿入されているため、上枠４１と下枠４２のうち、少なくとも一方の位置を、作業者が教室側から行う作業によって左右方向に移動させることにより、孔８０の位置と孔８１の位置とを左右方向に一致させることができる。
【００８６】
また、このように上枠４１と下枠４２のうち、少なくとも一方の位置を左右方向に移動させても、これらの上枠４１と下枠４２の左右方向両端部には、縦枠部材２２，２３及び化粧部材５７，５８に弾性接触することを維持するシール部材８５が取り付けられているため、上記移動を行えるとともに、改修後の間仕切りユニット４０についての前述した光遮断性を維持することができ、また、シール部材８５により、上枠４１、下枠４２と縦枠部材２２，２３及び化粧部材５７，５８との間の隙間を吸収することができる。
【００８７】
以上説明した本実施形態によると、改修後の間仕切りユニット４０の内部には、収納スペースＳが設けられており、この間仕切りユニット４０は、収納スペースＳが設けられている箇所と、収納スペースＳが設けられていない箇所とからなり、収納スペースＳが設けられている箇所の間仕切り体厚さ方向寸法は、図５及び図６において、前述したようにＬで示されており、この寸法Ｌは、収納スペースＳが設けられていない箇所の間仕切り体厚さ方向寸法にもなっている前記寸法Ｗよりも大きくなっている。
【００８８】
このため、間仕切りユニット４０の内部に設けられる収納スペースＳについての間仕切り体厚さ方向寸法が、収納スペースＳが設けられていない箇所よりも拡大されており、これにより、収納スペースＳに図５で示す多量の被収納物９０を収納できるようになる。
【００８９】
また、本実施形態では、収納スペースＳが設けられている箇所は、前記収納スペース形成部材となっている図６の左右の縦枠部材２２，２３と化粧部材５７，５８を含めると、間仕切りユニット４０の左右方向寸法と同じ大きさになっているため、収納スペースＳについての間仕切りユニット４０の左右方向の大きさが拡大されている。
【００９０】
さらに本実施形態では、収納スペースＳが設けられている箇所は、収納スペース形成部材となっている図５の上枠４１と下枠４２を含めると、間仕切りユニット４０の高さ方向の途中から間仕切りユニット４０の略下端まで達する上下長さを有しているため、収納スペースＳは、間仕切りユニット４０全体としてはこの間仕切りユニット４０の下部側に設けられていることになり、このため、収納スペースＳへの被収納物９０の収納作業及び収納スペースＳからの被収納物の取り出し作業を容易に行える。
【００９１】
また、改修後の間仕切りユニット４０には、収納スペースＳを外部と連通させるための開口部７５が設けられているとともに、この開口部７５を開閉可能とするための開閉部材となっている扉７６，７７も設けられているため、収納スペースＳに被収納物９０を収納する作業及び収納スペースＳから被収納物９０を取り出す作業を、扉７６，７７の開閉により開口部７５から容易に行える。
【００９２】
また、横枠部材２５と下枠部材２１は、改修前の間仕切りユニット１０を形成するためのこの間仕切りユニット１０に存在していて、改修後の間仕切りユニット４０に残されている間仕切り体形成部材となっており、これらの間仕切り体形成部材に、収納スペースＳを形成するための収納スペース形成部材となっている上枠４１と下枠４２を取り付けることにより、収納スペースＳが形成されるようになっているため、間仕切り体形成部材を有効利用して収納スペースＳを改修後の間仕切りユニット４０に設けることができる。
【００９３】
さらに、間仕切り体形成部材となっている横枠部材２５と下枠部材２１は、間仕切りユニット４０の構造材であるため、この構造材の強度を有効に利用して上枠４１と下枠４２の取り付けを行うことができる。
【００９４】
また、収納スペースＳは、横枠部材２５が配設された間仕切りユニット４０の上下方向の途中箇所から、下枠部材２１の上面に取り付けられた下枠４２の箇所まで形成されているため、収納スペースＳの底面の位置は床２に近い位置となっており、このため、上枠４１と下枠４２に間仕切りユニット４０の厚さ方向へ突出した突出部４１Ａ，４２Ａを設けても、間仕切りユニット４０全体としては、前記Ｌ寸法は、床２と同じ位置又は略同じ位置から上側へ始まる寸法となっており、したがって、突出部４１Ａ，４２Ａが突出している教室に居る教師や生徒にとって、突出部４１Ａ，４２Ａが障害になることはない。
【００９５】
さらに、本実施形態に係る改修前の間仕切りユニット１０を、内部に収納スペースＳが設けられた間仕切りユニット４０に改修する作業は、パネル型のユニットとして工場で製造されて施工現場の床２に固設された間仕切りユニット１０を床２に固設したまま、言い換えると、間仕切りユニット１０を、図１に示されているように、床２と天井３とに固定したまま行うため、間仕切りユニット４０の内部に収納スペースＳを設けるための作業を短時間で容易に行える。
【００９６】
また、この改修作業の全部の作業は、図１で示す間仕切りユニット１０，１１を用いて形成された壁１により仕切られている２つの空間のうち、一方の空間だけから行うため、作業者は、図１の出入口用の間仕切りユニット１１を通過して２つの空間を往来しなくても作業を行え、このため、この点でも改修作業を短時間で容易に行える。
【００９７】
さらに、上記２つの空間は教室と廊下であり、作業者が間仕切りユニット１０に対して改修作業を行う空間は、廊下よりも大きい空間となっている教室であるため、この点でも改修作業を短時間で容易に行える。
【産業上の利用可能性】
【００９８】
本発明は、例えば、工場で製造されて施工現場の床に固設されるパネル型の間仕切りユニット等の間仕切り体であって、内部に収納スペースが設けられる間仕切り体に利用することができる。
【符号の説明】
【００９９】
１  壁
２  床
３  天井
１０  改修前の間仕切り体であるパネル型の間仕切りユニット
２１  収納スペース形成部材を取り付けるために改修後に残されている下枠部材
２２，２３  収納スペース形成部材である縦枠部材
２５  収納スペース形成部材を取り付けるために改修後に残されている横枠部材
４０  改修後の間仕切り体であるパネル型の間仕切りユニット
４１  収納スペース形成部材であって、ピン挿入部を有している部材でもある上枠
４２  収納スペース形成部材であって、ピン挿入部を有している部材でもある下枠
５７，５８  収納スペース形成部材である化粧部材
６５  表面部材
６６，６７  表面部材を構成する表面材
７６，７７  開閉部材である扉
７８，７９  ピン
８０，８１  ピン挿入部である孔
９０  被収納物
Ｌ  収納スペースが設けられている箇所の間仕切り体厚さ方向寸法
Ｗ  収納スペースが設けられていない箇所の間仕切り体厚さ方向寸法
Ｓ  収納スペース
【図１】
0006514453.tif 000002
【図２】
0006514453.tif 000003
【図３】
0006514453.tif 000004
【図４】
0006514453.tif 000005
【図５】
0006514453.tif 000006
【図６】
0006514453.tif 000007
【図７】
0006514453.tif 000008
【図８】
0006514453.tif 000009
【図９】
0006514453.tif 000010
【図１０】
0006514453.tif 000011
【図１１】
0006514453.tif 000012